(57)【要約】【課題】本発明の課題は、端末接続用コンセントの数が増えた場合にもケーブルを配管内配線することができ、ケーブル配線の施工性を向上することができ、美観を向上することができる分岐配管配線システムを提供することにある。【解決手段】本発明は、建物２０内の情報配線盤２１から１個以上の分岐装置２３まで敷設され、複数本のケーブルを収容できる本配管２４と、前記分岐装置２３から部屋にある１個以上の端末接続用コンセント２２まで敷設され、ケーブルを収容できる分岐配管２５とよりなり、ケーブルを前記情報配線盤２１から前記本配管２４内、前記分岐装置２３内、および前記分岐配管２５内を通して前記端末接続用コンセント２２まで配線することを特徴とするものである。【選択図】　　図１
2004015899.tif 000002
【特許請求の範囲】
【請求項１】
建物内の情報配線盤から１個以上の分岐装置まで敷設され、複数本のケーブルを収容できる本配管と、
前記分岐装置から部屋にある１個以上の端末接続用コンセントまで敷設され、ケーブルを収容できる分岐配管とよりなり、
ケーブルを前記情報配線盤から前記本配管内、前記分岐装置内、および前記分岐配管内を通して前記端末接続用コンセントまで配線することを特徴とする分岐配管配線システム。
【請求項２】
ケーブルを一方の端末接続用コンセントから分岐配管内および分岐装置内を通して他方の端末接続用コンセントまで配線することを特徴とする請求項１記載の分岐配管配線システム。
【請求項３】
中空状の分岐部本体と、
前記分岐部本体に配設された本配管接続部および複数の分岐配管接続部と、
前記分岐部本体内に設けられ、前記本配管接続部から前記分岐配管接続部にケーブルを案内する湾曲面を有する配線ガイドと
を具備することを特徴とする分岐装置。
【請求項４】
配線ガイドが、本配管接続部と分岐配管接続部間に、湾曲面を有する凸部を形成するように設けられることを特徴とする請求項３記載の分岐装置。
【請求項５】
配線ガイドが、一方の分岐配管接続部から他方の分岐配管接続部までケーブルを案内するように設けられることを特徴とする請求項３記載の分岐装置。
【請求項６】
配線ガイドが、一方の分岐配管接続部と他方の分岐配管接続部間に、湾曲面を有する凸部を形成するように設けられることを特徴とする請求項５記載の分岐装置。
【請求項７】
配線ガイドが、湾曲面を有する島状に形成されることを特徴とする請求項３又は５記載の分岐装置。
【発明の詳細な説明】
【０００１】
【発明の属する技術分野】
本発明は建物内の情報配線盤から部屋にある１個以上の端末接続用コンセントまで分岐配管を利用してケーブルを配線する分岐配管配線システム及び分岐装置に関する。
【０００２】
【従来の技術】
図５は従来の配管配線システムを示す構成説明図である。図において、１１は情報配線盤、１２は端末接続用コンセント、１３は配管、１４は設置予定の端末接続用コンセントである。
【０００３】
従来の配管配線システムは、住宅内に設けられた情報配線盤１１と各部屋に１個設置してある端末接続用コンセント１２の間を配管１３によって１対１に配設したスター型配管であり、配管１３内にケーブルを通して情報配線盤１１と端末接続用コンセント１２を配線していた。
【０００４】
このような配管配線システムは各部屋に１台程度の端末を接続する場合は問題ないが、今後複数の情報家電といった複数の端末がネットワークに接続されるようなホームネットワーク形態を想定した場合は端末接続用コンセント１２から各種端末までの露出配線が増えることが考えられ、配管設備がありながら部屋内の美観を損ねるもしくは配線作業が困難といった問題がある。
【０００５】
また、このようなホームネットワーク形態では各部屋の設置予定の端末接続用コンセント１４の数が増えることが想定され、その場合には配管配線システムの効率化が必要になる。
【０００６】
【発明が解決しようとする課題】
本発明は上記の事情に鑑みてなされたもので、本配管と複数の分岐配管、もしくは複数の分岐配管同士を分岐装置を介して接続することにより、端末接続用コンセントの数が増えた場合にもケーブルを配管内配線することができ、ケーブル配線の施工性を向上することができ、美観を向上することができる分岐配管配線システム及び分岐装置を提供することを目的とする。
【０００７】
【課題を解決するための手段】
上記目的を達成するために本発明の分岐配管配線システムは、建物内の情報配線盤から１個以上の分岐装置まで敷設され、複数本のケーブルを収容できる本配管と、前記分岐装置から部屋にある１個以上の端末接続用コンセントまで敷設され、ケーブルを収容できる分岐配管とよりなり、ケーブルを前記情報配線盤から前記本配管内、前記分岐装置内、および前記分岐配管内を通して前記端末接続用コンセントまで配線することを特徴とするものである。
【０００８】
また本発明は、前記分岐配管配線システムにおいて、ケーブルを一方の端末接続用コンセントから分岐配管内および分岐装置内を通して他方の端末接続用コンセントまで配線することを特徴とするものである。
【０００９】
また本発明の分岐装置は、中空状の分岐部本体と、前記分岐部本体に配設された本配管接続部および複数の分岐配管接続部と、前記分岐部本体内に設けられ、前記本配管接続部から前記分岐配管接続部にケーブルを案内する湾曲面を有する配線ガイドとを具備することを特徴とするものである。
【００１０】
また本発明は、前記分岐装置において、配線ガイドが、本配管接続部と分岐配管接続部間に、湾曲面を有する凸部を形成するように設けられることを特徴とするものである。
【００１１】
また本発明は、前記分岐装置において、配線ガイドが、一方の分岐配管接続部から他方の分岐配管接続部までケーブルを案内するように設けられることを特徴とするものである。
【００１２】
また本発明は、前記分岐装置において、配線ガイドが、一方の分岐配管接続部と他方の分岐配管接続部間に、湾曲面を有する凸部を形成するように設けられることを特徴とするものである。
【００１３】
また本発明は、前記分岐装置において、配線ガイドが、湾曲面を有する島状に形成されることを特徴とするものである。
【００１４】
【発明の実施の形態】
以下図面を参照して本発明の実施の形態例を詳細に説明する。
【００１５】
図１は本発明の実施形態例を示す構成説明図である。図において、２０は建物、２１は情報配線盤、２２は端末接続用コンセント、２３は分岐装置、２４は本配管、２５は分岐配管である。
【００１６】
すなわち、本発明の実施形態例による分岐配管配線システムは、建物２０内の一部に情報配線盤２１が設けられる。この情報配線盤２１から各部屋に対応して設けられた１個以上の分岐装置２３まで、複数本のケーブルを収容できる本配管２４がそれぞれ対応して天井内に敷設される。前記分岐装置２３から部屋内にある１個以上の端末接続用コンセント２２まで、ケーブルを収容できる分岐配管２５がそれぞれ対応して敷設される。ケーブルは前記情報配線盤２１から前記本配管２４内、前記分岐装置２３内、および前記分岐配管２５内を通して前記端末接続用コンセント２２まで配線される。
【００１７】
なお、本発明の実施形態例では、前記分岐配管配線システムにおいて、ケーブルを一方の端末接続用コンセント２２から分岐配管２５内および分岐装置２３内を通して他方の端末接続用コンセント２２まで配線することができる。
【００１８】
図２および図３は本発明の実施形態例による分岐装置を示す斜視図および断面図である。図において、２６は本配管接続部、２７は分岐配管接続部、２８は分岐部本体、２９は配線ガイドである。
【００１９】
すなわち、本発明の実施形態例による分岐装置は、円筒状よりなる中空状の分岐部本体２８の側周面部には円筒状の本配管接続部２６および複数の円筒状の分岐配管接続部２７が所定の間隔で配設される。前記分岐部本体２８内には、前記本配管接続部２６から前記各分岐配管接続部２７にケーブルを案内する湾曲面を有する配線ガイド２９が設けられる。この配線ガイド２９はケーブルを配線する際にケーブルの曲率半径を確保できない場合に用いるガイドである。
【００２０】
前記配線ガイド２９は、本配管接続部２６と各分岐配管接続部２７間に、中心方向に突出した湾曲面を有する凸部を形成するように設けられる。
【００２１】
また前記配線ガイド２９は、一方の分岐配管接続部２７から他方の分岐配管接続部２７までケーブルを案内するように設けられる。
【００２２】
また前記配線ガイド２９は、一方の分岐配管接続部２７と他方の分岐配管接続部２７間に、中心方向に突出した湾曲面を有する凸部を形成するように設けられる。
【００２３】
図４は本発明の実施形態例による分岐装置の他の例を示す断面図である。図４中、図３と同一部分は同一符号を付してその説明を省略する。図において、３０は島状の配線ガイドである。すなわち、分岐装置内に島状に配線ガイド３０を配設しても良く、島状の配線ガイド３０には中心方向に突出した湾曲面を有する凸部が形成される。３１はケーブルであり、島状の配線ガイド３０の湾曲面で案内される。
【００２４】
本発明の実施形態例は、情報配線盤等から各部屋方面にスター型に敷設された本配管をさらに分岐装置を用いてスター型に分岐配管で分配し、各部屋に複数設置される端末接続用コンセントまでの管路を接続する。またケーブル敷設を分岐装置まで分断せずに引き通しで敷設するために、分岐装置の内部には敷設時のケーブル曲げ半径を確保できる配線ガイドを設けているため任意の配線方向でケーブル敷設が可能である。
【００２５】
このようなホームネットワーク用配管配線システムはホームネットワークに接続される端末が増えることを想定した配管設備を構築する際に安価に構築することができ、ケーブルを配線する際には、端末近傍まで配管内配線することが可能であり、端末接続用コンセントから露出配線が少なくなり、施工性・美観に優れている。
【００２６】
以上のように、本実施形態例のホームネットワーク用配管配線システムによれば、次のような効果が得られる。
【００２７】
▲１▼　端末までケーブルを配線する際に、露出配線が少なくなり美観に優れる。
【００２８】
▲２▼　端末近傍までの配管内配線が可能となり、施工性に優れる。
【００２９】
▲３▼　配管設備の延長を削減できるため構築費用が削減できる。
【００３０】
【発明の効果】
以上述べたように本発明によれば、本配管と複数の分岐配管、もしくは複数の分岐配管同士を分岐装置を介して接続することにより、端末接続用コンセントの数が増えた場合にもケーブルを配管内配線することができ、ケーブル配線の施工性を向上することができ、美観を向上することができる分岐配管配線システム及び分岐装置を提供することができる。
【図面の簡単な説明】
【図１】本発明の実施形態例を示す構成説明図である。
【図２】本発明の実施形態例による分岐装置を示す斜視図である。
【図３】本発明の実施形態例による分岐装置を示す断面図である。
【図４】本発明の実施形態例による分岐装置の他の例を示す断面図である。
【図５】従来の配管配線システムを示す構成説明図である。
【符号の説明】
２０　建物
２１　情報配線盤
２２　端末接続用コンセント
２３　分岐装置
２４　本配管
２５　分岐配管
２６　本配管接続部
２７　分岐配管接続部
２８　分岐部本体
２９　配線ガイド
３０　島状の配線ガイド
【図１】
2004015899.tif 000003
【図２】
2004015899.tif 000004
【図３】
2004015899.tif 000005
【図４】
2004015899.tif 000006
【図５】
2004015899.tif 000007